(57)【要約】【課題】液晶装置等の電気光学装置用実装ケースにおいて、放熱機能を高める。【解決手段】電気光学装置用実装ケースは、複数の画素が配置された画素領域を有する電気光学装置を収容するための電気光学装置用実装ケースであって、画素領域に対応する開口部を規定すると共に電気光学装置をその周縁部側から包囲するフレーム（６１０）と、（i）フレームと空間を隔てて配置される棒状又は板状の本体部（７１０）と（ii）フレームに固定され、本体部を支持する支持部（７２０）とを有し、フレームの熱を放散する放熱部材（７００）とを備える。【選択図】図６
2009053588.tif 000002
【特許請求の範囲】
【請求項１】
複数の画素が配置された画素領域を有する電気光学装置を収容するための電気光学装置用実装ケースであって、
前記画素領域に対応する開口部を規定すると共に前記電気光学装置をその周縁部側から包囲するフレームと、
（i）前記フレームと空間を隔てて配置される棒状又は板状の本体部と（ii）前記フレームに固定され、前記本体部を支持する支持部とを有し、前記フレームの熱を放散する放熱部材と
を備えたことを特徴とする電気光学装置用実装ケース。
【請求項２】
前記放熱部材は、一つの棒状部材又は板状部材が曲げられてなることを特徴とする請求項１に記載の電気光学装置用実装ケース。
【請求項３】
前記放熱部材は、鎹状、アーチ状又はＵ字状の断面形状を有することを特徴とする請求項２に記載の電気光学装置用実装ケース。
【請求項４】
前記放熱部材は、金属からなることを特徴とする請求項１から３のいずれか一項に記載の電気光学装置用実装ケース。
【請求項５】
前記放熱部材は、前記フレームよりも熱伝導率の高い材料からなることを特徴とする請求項１から４のいずれか一項に記載の電気光学装置用実装ケース。
【請求項６】
前記フレームに、凹部が形成されており、
前記支持部は、前記凹部に嵌合されることにより、前記フレームに固定される
ことを特徴とする請求項１から５のいずれか一項に記載の電気光学装置用実装ケース。
【請求項７】
前記本体部は、前記フレームに対して供給される冷却風が流れる方向に交わるように延在していることを特徴とする請求項１から６のいずれか一項に記載の電気光学装置用実装ケース。
【請求項８】
請求項１から７のいずれか一項に記載の電気光学装置用実装ケースを備えており、該電気光学装置用実装ケースに収容されたことを特徴とする電気光学装置。
【請求項９】
請求項８に記載の電気光学装置を具備することを特徴とする電子機器。
【発明の詳細な説明】
【技術分野】
【０００１】
本発明は、例えば液晶プロジェクタのライトバルブとして用いられる液晶パネル等の電気光学装置を実装するための実装ケース、また該実装ケースに当該電気光学装置が実装或いは収容されてなる実装ケース入り電気光学装置、及びこのような実装ケース入り電気光学装置を備えてなる液晶プロジェクタ等の電子機器の技術分野に関する。
【背景技術】
【０００２】
この種の電気光学装置は、液晶プロジェクタ等の電子機器におけるライトバルブとして用いられる際には、機器の筐体等にいわば裸の状態で設置されるのではなく、適当な実装ケースに実装ないし収容された状態で設置される。
【０００３】
例えば特許文献１には、移動しながら電気光学装置の表面に帯電した静電気を除去する除電部材が設けられた実装ケースが開示されている。
【０００４】
上述のように電気光学装置をライトバルブとして用いる場合、スクリーン上に拡大投射を行うために、電気光学装置には、光源からの強力な光源光が集光された状態で入射する。このように強力な光源光が入射すると、電気光学装置の温度は上昇し、電気光学装置の表示性能が低下してしまうおそれがある。このため、電気光学装置が収容される実装ケースを冷却することで、電気光学装置の放熱が図られることが多い。そして、電気光学装置の放熱性を高めるために、実装ケースには放熱用のフィンが設けられることがある。
【０００５】
【特許文献１】特開２００４−２１９５７２号公報
【発明の開示】
【発明が解決しようとする課題】
【０００６】
しかしながら、実装ケースに放熱用のフィンを設けた場合であっても、電気光学装置の放熱性を十分に向上させることができないおそれがあるという技術的問題点がある。
【０００７】
本発明は、例えば上述した問題点に鑑みなされたものであり、高い放熱機能を有する電気光学装置用実装ケース、該実装ケースに当該電気光学装置が実装或いは収容されてなる実装ケース入り電気光学装置、及びこのような実装ケース入り電気光学装置を備えてなる液晶プロジェクタ等の電子機器を提供することを課題とする。
【課題を解決するための手段】
【０００８】
本発明の電気光学装置用実装ケースは上記課題を解決するために、複数の画素が配置された画素領域を有する電気光学装置を収容するための電気光学装置用実装ケースであって、前記画素領域に対応する開口部を規定すると共に前記電気光学装置をその周縁部側から包囲するフレームと、（i）前記フレームと空間を隔てて配置される棒状又は板状の本体部と（ii）前記フレームに固定され、前記本体部を支持する支持部とを有し、前記フレームの熱を放散する放熱部材とを備える。
【０００９】
本発明の電気光学装置用実装ケース（以下、適宜「実装ケース」と略称する）によれば、例えば画素領域に光源から入射される光に応じて表示光を、透過又は反射によって出射する電気光学装置が実装される。或いは、画素領域から、例えば自発光によって表示光を出射する電気光学装置が実装される。このような電気光学装置としては、例えば投射型表示装置におけるライトバルブとして実装される液晶装置或いは液晶パネルが挙げられる。或いは、自発光型の有機ＥＬパネルが挙げられる。
【００１０】
本発明の実装ケースにおいて、電気光学装置は、その周縁部側からフレームによって包囲された状態で、該フレームに例えば接着剤によって接着されることによって固定されて、該フレーム内に収容される。
【００１１】
ここで、本発明の実装ケースに電気光学装置が実装された状態で、例えば電気光学装置の動作時において、光源から該電気光学装置に比較的強力な光が入射されると、該電気光学装置の温度が上昇する。或いは、例えば、自発光動作に伴って、該電気光学装置の温度が上昇する。電気光学装置から生じる熱は、電気光学装置がフレームに接触している個所から、フレームに伝導される。更にこれに加えて又は代えて、係る熱は、電気光学装置及びフレーム間に介在する、好ましくは熱伝導性に優れた接着剤を介して、フレームに伝導される。
【００１２】
本発明では特に、フレームの熱を放散させる放熱部材を備える。放熱部材は、フレームと空間を隔てて配置される棒状又は板状の本体部と、フレームに固定され、本体部を支持する支持部とを有する。放熱部材は、典型的には、例えば銅やアルミニウム等の金属からなる一つの棒状部材或いは板状部材が、例えば鎹状、アーチ状等の断面形状を有するように曲げられて、フレームに取り付けられることで形成される。即ち、典型的には、放熱部材において、支持部は、板状又は棒状の本体部と一体的に形成され、板状又は棒状の本体部の両端に一つづつ設けられる。よって、放熱部材は、フレームと空間を隔てて配置された棒状又は板状の本体部を有するので、電気光学装置からフレームに伝導された熱を、当該放熱部材を介して、フレームから実装ケース外に確実に放出できる。即ち、本発明の実装ケースによれば、電気光学装置の放熱性を向上させることができる。従って、電気光学装置から発生する熱に起因する電気光学装置の不具合の発生を防止できる。
【００１３】
本発明の電気光学装置用実装ケースの一態様では、前記放熱部材は、一つの棒状部材又は板状部材が曲げられてなる。
【００１４】
この態様によれば、放熱部材は、例えば、一つの棒状部材の両端側が折り曲げられることにより形成される。よって、本体部及び支持部間の熱伝導率（或いは熱伝達効率）を高めることができ、電気光学装置の放熱性をより一層向上させることができる。
【００１５】
上述した放熱部材が、一つの棒状部材又は板状部材が曲げられてなる態様では、前記放熱部材は、鎹状、アーチ状又はＵ字状の断面形状を有するようにしてもよい。
【００１６】
この場合には、放熱部材を比較的簡易な構成とすることができると共に、電気光学装置の放熱性を向上させることができる。
【００１７】
本発明の電気光学装置用実装ケースの他の態様では、前記放熱部材は、金属からなるように構成してもよい。
【００１８】
この場合には、放熱部材は金属からなるので、放熱部材の熱伝導率を容易に高めることができる。
【００１９】
本発明の電気光学装置用実装ケースの他の態様では、前記放熱部材は、前記フレームよりも熱伝導率の高い材料からなる。
【００２０】
この態様によれば、放熱部材によって、フレームの熱を実装ケース外へ、より効率的に放出することができる。
【００２１】
本発明の電気光学装置用実装ケースの他の態様では、前記フレームに、凹部が形成されており、前記支持部は、前記凹部に嵌合されることにより、前記フレームに固定される。
【００２２】
この態様によれば、放熱部材の支持部がフレームに接触した状態で、放熱部材がフレームに取り付けられる。よって、例えば、支持部とフレームとが例えば接着剤によって接着されることにより、支持部がフレームに固定される場合と比較して、放熱部材及びフレーム間の熱伝導率を高めることができ、電気光学装置の放熱性をより一層向上させることができる。
【００２３】
更に、例えば、支持部とフレームとが例えば接着剤によって接着されることにより、支持部がフレームに固定される場合と比較して、当該実装ケースに収容された電気光学装置が設置される電子機器の仕様に応じて、放熱部材をフレームから容易に取り外すことも可能となり、実践上大変便利である。
【００２４】
本発明の電気光学装置用実装ケースの他の態様では、前記本体部は、前記フレームに対して供給される冷却風が流れる方向に交わるように延在している。
【００２５】
この態様によれば、本体部を冷却風によって効率的に冷却することができるので、電気光学装置の放熱性をより一層向上させることができる。
【００２６】
本発明の電気光学装置は上記課題を解決するために、上述した本発明の電気光学装置用実装ケース（但し、各種態様を含む）を備えており、該電気光学装置用実装ケースに収容される。
【００２７】
本発明の電気光学装置によれば、上述した電気光学装置用実装ケースを備えるので、電気光学装置の放熱性を向上させつつ、電気光学装置を例えば投射型表示装置等の電子機器内に安定して実装することができる。
【００２８】
本発明の電子機器は上記課題を解決するために、上述した本発明の電気光学装置を具備する。
【００２９】
本発明の電子機器は、上述した本発明の電気光学装置を具備してなるので、高品質の画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電気光学装置として、例えば電子ペーパなどの電気泳動装置、電子放出装置（Field Emission Display及びConduction Electron-Emitter Display）等を実現し、更にはこれら電気泳動装置、電子放出装置を用いた装置としてＤＬＰ（Digital Light Processing）等を実現することも可能である。
【００３０】
本発明の作用及び他の利得は次に説明する実施するための最良の形態から明らかにされる。
【発明を実施するための最良の形態】
【００３１】
本発明の実施形態について図を参照して説明する。
＜第１実施形態＞
（電子機器）
先ず、本実施形態に係る電子機器の構成について、図１を参照して説明する。ここでは、本発明に係る電子機器として、投射型の液晶プロジェクタを例にとる。ここに図１は、本実施形態に係る液晶プロジェクタの図式的断面図である。本実施形態に係る液晶プロジェクタは、実装ケース入り電気光学装置の一例たる液晶ライトバルブが３枚用いられてなる複板式カラープロジェクタとして構築されている。
【００３２】
図１において、液晶プロジェクタ１１００は、夫々ＲＧＢ用の液晶ライトバルブ１００Ｒ、１００Ｇ及び１００Ｂの３枚を用いた複板式カラープロジェクタとして構築されている。
【００３３】
液晶プロジェクタ１１００では、メタルハライドランプ等の白色光源のランプユニット１１０２から投射光が発せられると、３枚のミラー１１０６及び２枚のダイクロイックミラー１１０８によって、ＲＧＢの３原色に対応する光成分Ｒ、Ｇ及びＢに分けられ、各色に対応する液晶ライトバルブ１００Ｒ、１００Ｇ及び１００Ｂに夫々導かれる。この際特にＢ光は、長い光路による光損失を防ぐために、入射レンズ１１２２、リレーレンズ１１２３及び出射レンズ１１２４からなるリレーレンズ系１１２１を介して導かれる。そして、液晶ライトバルブ１００Ｒ、１００Ｇ及び１００Ｂにより夫々変調された３原色に対応する光成分は、ダイクロイックプリズム１１１２により合成された後、投射レンズ１１１４を介してスクリーン１１２０にカラー映像として投射される。
【００３４】
液晶ライトバルブ１００Ｒ、１００Ｇ及び１００Ｂは、後述の如きアクティブマトリクス駆動方式の液晶装置が使用される。また、ライトバルブ１００Ｒ、１００Ｇ及び１００Ｂは、後に詳述するように実装ケース入り液晶装置として構成されている。
【００３５】
液晶プロジェクタ１１００には、液晶ライトバルブ１００Ｒ、１００Ｇ及び１００Ｂに冷却風を送るためのシロッコファン１３００が設けられている。シロッコファン１３００は、その側面に複数のブレード１３０１を備えた略円筒形状の部材を含んでおり、該円筒形状の部材がその軸を中心として回転することでブレード１３０１が風を生じさせるようになっている。尚、このような原理から、シロッコファン１３００で作り出される風は、らせん状に渦巻いたものとなる。このような風は、図１には図示されない風路を通じて各液晶ライトバルブ１００Ｒ、１００Ｇ及び１００Ｂに送給され、各液晶ライトバルブ１００Ｒ、１００Ｇ及び１００Ｂの近傍に設けられた吹き出し口１００ＲＷ、１００ＧＷ及び１００ＢＷから、液晶ライトバルブ１００Ｒ、１００Ｇ及び１００Ｂの各々に対して送り出されるようになっている。
【００３６】
以上説明した構成においては、液晶ライトバルブ１００Ｒ、１００Ｇ及び１００Ｂの各実装ケースは、ダイクロイックプリズム１１１２の３つの側面に夫々付設されている。その各実装ケースからは、内部で液晶装置と接続されたフレキシブル配線基板（以下、適宜「ＦＰＣ」と称す）が引き出されている。引き出されたＦＰＣの各端部は、ダイクロイックプリズム１１１２の上面側或いは下面側に曲げられて、外部コネクタに接続される。
【００３７】
このような液晶プロジェクタ１１００の駆動時には、強力な光源たるランプユニット１１０２からの投射光により、各液晶ライトバルブ１００Ｒ、１００Ｇ及び１００Ｂにおいて温度が上昇する。この際、過度に温度が上昇すると、各液晶ライトバルブ１００Ｒ、１００Ｇ及び１００Ｂ内の液晶が劣化したり、光源光のむらによる部分的な液晶装置の加熱によるホットスポットの出現により透過率にムラが生じたりする。
【００３８】
そこで、本実施形態では特に、液晶ライトバルブ１００（即ち、液晶ライトバルブ１００Ｒ、１００Ｇ及び１００Ｂ）を以下に説明する実装ケース入り液晶装置として構成し、その温度上昇を効率的に抑制する。
【００３９】
（液晶装置）
次に、本実施形態に係る液晶装置の全体構成について、図２及び図３を参照して説明する。ここでは、本発明の電気光学装置として、駆動回路内蔵型のＴＦＴアクティブマトリクス駆動方式の液晶装置を例にとる。本実施形態に係る液晶装置は、上述した液晶プロジェクタ１１００における液晶ライトバルブ１００Ｒ、１００Ｇ及び１００Ｂとして使用されるものである。ここに図２は、ＴＦＴアレイ基板をその上に形成された各構成要素と共に対向基板の側から見た液晶装置の平面図であり、図３は、図２のＨ−Ｈ’断面図である。
【００４０】
図２及び図３において、本実施形態に係る液晶装置では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、複数の画素が配置された画素領域１０ａの周囲に位置するシール領域に設けられたシール材５２により相互に接着されている。
【００４１】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。また、シール材５２中には、ＴＦＴアレイ基板１０と対向基板２０との間隔（基板間ギャップ）を所定値とするためのグラスファイバ或いはガラスビーズ等のギャップ材が散布されている。即ち、本実施形態に係る液晶装置は、プロジェクタのライトバルブ用として小型で拡大表示を行うのに適している。
【００４２】
シール材５２が配置されたシール領域の内側に並行して、画素領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。
【００４３】
画素領域１０ａの周辺に広がる周辺領域（本発明に係る「周縁部」に該当する）のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿い、且つ、前記額縁遮光膜５３に覆われるようにして設けられている。
【００４４】
ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４５】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００４６】
図３において、ＴＦＴアレイ基板１０上には、画素スイッチング用のＴＦＴや走査線、データ線等の配線が形成された後の画素電極９ａ上に、図示しない配向膜が形成されている。他方、対向基板２０上には、対向電極２１の他、格子状又はストライプ状の遮光膜２３、更には最上層部分に図示しない配向膜が形成されている。液晶層５０は、例えば一種又は数種類のネマティック液晶を混合した液晶からなり、これら一対の配向膜間で、所定の配向状態をとる。
【００４７】
尚、図２及び図３に示したＴＦＴアレイ基板１０上には、これらのデータ線駆動回路１０１、走査線駆動回路１０４等に加えて、複数のデータ線に所定電圧レベルのプリチャージ信号を画像信号に先行して各々供給するプリチャージ回路、製造途中や出荷時の当該液晶装置の品質、欠陥等を検査するための検査回路等を形成してもよい。
【００４８】
次に、以上の如く構成された液晶装置における回路構成及び動作について、図４を参照して説明する。ここに図４は、本実施形態に係る液晶装置の画素領域を構成するマトリクス状に形成された複数の画素における各種素子、配線等の等価回路図である。
【００４９】
図４において、本実施形態に係る液晶装置の画素領域１０ａを構成するマトリクス状に形成された複数の画素には夫々、画素電極９ａと当該画素電極９ａに印加される電圧をスイッチング制御するためのＴＦＴ３０とが形成されており、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａ同士に対して、グループ毎に供給するようにしてもよい。
【００５０】
ＴＦＴ３０のゲートにゲート電極３ａが電気的に接続されており、所定のタイミングで、走査線１１ａ及びゲート電極３ａにパルス的に走査信号Ｇ１、Ｇ２、…、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。
【００５１】
画素電極９ａを介して液晶層５０（図３参照）を構成する液晶に書き込まれた所定レベルの画像信号Ｓ１、Ｓ２、…、Ｓｎは、対向基板２０に形成された対向電極２１との間で一定期間保持される。液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として電気光学装置からは画像信号に応じたコントラストをもつ光が出射する。
【００５２】
ここで保持された画像信号がリークするのを防ぐために、画素電極９ａと対向電極２１との間に形成された液晶容量と並列に蓄積容量７０が付加されている。蓄積容量７０は、走査線１１ａに並んで設けられ、固定電位側容量電極を含むとともに定電位に固定された容量電極３００を含んでいる。
【００５３】
（実装ケース入り液晶装置）
次に、本実施形態に係る実装ケース入り液晶装置について、図５から図７を参照して説明する。ここに図５は、本実施形態に係る実装ケースを液晶装置とともに示す分解斜視図である。図６は、本実施形態に係る実装ケースに設けられた放熱部材の構成を示す斜視図である。図７は、放熱部材の支持部と、該支持部に嵌合される凹部とを示す斜視図である。
【００５４】
図５に示すように、液晶ライトバルブ１００は、図２から図４を参照して上述したように構成された液晶装置５００が、実装ケース６０１に収容されてなる。
【００５５】
図５において、液晶装置５００は、図２及び図３を参照して上述した形態をしており、外部回路接続端子１０２には、ＦＰＣ５０１が接続されている。ＴＦＴアレイ基板１０及び対向基板２０の各々における液晶層５０を挟んで対向する面とは反対側の面には、夫々、防塵用基板４００が設けられている。更に、液晶装置５００の外表面には、反射防止板等の光学部材が付設されている。但し、偏光板や位相差板等は、液晶装置５００の外表面に付設されてもよいが、液晶プロジェクタ１１００の光学系が備えていてもよい。
【００５６】
図５に示すように、実装ケース６０１は、液晶装置５００を収容するフレーム６１０と、フレーム６１０に被さるカバー部材６２０とを備えている。
【００５７】
フレーム６１０は、アルミニウム等の金属、或いは樹脂等からなり、フレーム本体６１３及び爪部６１７から構成されている。
【００５８】
フレーム本体６１３は、液晶装置５００の形状に合わせ、言わば内側をくり抜かれたように成形された、本発明に係る「開口部」の一例としての窓部６１６を備えている。窓部６１６は、収容された液晶装置５００の画素領域１０ａ（図２参照）に光を透過させるために、画素領域１０ａと対向するように開口されている。このため、図１を参照して上述した液晶プロジェクタ１１００内のランプユニット１１０２から発せられた光は、窓部６１６を通過して液晶装置５００に入射可能となる。
【００５９】
フレーム本体６１３の四隅には、取り付け穴６１５が設けられている。取り付け穴６１５は、当該実装ケースに収容された液晶装置５００を、図１に示した如き液晶プロジェクタ１１００内に取り付けする際に利用される。即ち、実装ケースに収容された液晶装置５００は、取り付け穴６１５を貫通するネジを用いて液晶プロジェクタ１１００にネジ止めすることにより、液晶プロジェクタ１１００内に取り付けられる。
【００６０】
爪部６１７は、フレーム本体６１３の側面に形成されており、フレーム６１０とカバー部材６２０とを組み合わせるために用いられる。
【００６１】
カバー部材６２０は、開口部として窓部６２５が設けられた額縁状の本体と、本体の両脇に、フック６２７とを備えている。窓部６２５は、液晶装置５００の画素領域１０ａ（図２参照）から射出される光を取り出すために、画素領域１０ａと対向するように開口されている。
【００６２】
カバー部材６２０は、両側縁のフック６２７をフレーム６１０の側面に形成された爪部６１７に引っ掛けることによって、フレーム６１０と組み合せられている。
【００６３】
液晶装置５００は、フレーム６１０に対向基板２０側が面する向きに収容され、ＴＦＴアレイ基板１０側の外表面をカバー部材６２０で覆われている。即ち、本実施形態における液晶ライトバルブ１００は、フレーム６１０の側から光が入射し、液晶装置５００を透過して、カバー部材６２０の側から出射するということを前提としている（図１において、ダイクロイックプリズム１１１２には、フレーム６１０ではなくカバー部材６２０が対向していることになる）。液晶装置５００は、その周縁部側からフレーム６１０によって包囲された状態で、該フレーム６１０に接着剤によって接着されることによって固定されて、該フレーム６１０内に収容される。尚、このように実装ケース６０１内に収容された状態で、液晶装置５００における、画素領域１０ａの周辺に位置する周辺領域は、フレーム６１０によって覆われている。このため、フレーム６１０は、当該周辺領域における光抜けを防止したり或いは周辺領域から画素領域１０ａ内に迷光が進入するのを防止する遮光機能を有している。更に、接着剤としては、空気よりも熱伝導性に優れた接着剤が用いられている。
【００６４】
図５に示すように、本実施形態では特に、実装ケース６０１は、フレーム本体６１３に取り付けられた放熱部材７００を備えている。
【００６５】
図６に拡大して示すように、放熱部材７００は、本体部７１０と支持部７２０とからなる。
【００６６】
本体部７１０は、フレーム本体６１３の表面６１３ａ（即ち、フレーム本体６１３の表面のうち液晶装置５００のＴＦＴアレイ基板１０の基板面に沿う表面）に、フレーム本体６１３と空間を隔てて配置されおり、フレーム本体６１３に固定された支持部７２０によって支持されている。
【００６７】
放熱部材７００（即ち、本体部７１０及び支持部７２０）は、例えば銅、アルミニウム等の金属からなる棒状部材が、鎹状（或いはコの字状又はＵ字状）に折り曲げられることにより形成されている。即ち、本体部７１０と支持部７２０とは一体的に形成され、支持部７２０は、棒状の本体部７１０の両端に一つづつ、表面６１３ａから突出するように設けられている。尚、放熱部材７００によって液晶装置５００の放熱性を向上させるという観点からは、放熱部材７００は、フレーム本体６１３よりも熱伝導率が高い材料から形成されることが好ましい。
【００６８】
より詳細には、図７に示すように、放熱部材７００は、その支持部７２０が、フレーム本体６１３に設けられた凹部８１０と嵌合されることにより、フレーム本体６１３に取り付けられている。
【００６９】
ここで、実装ケース６０１に液晶装置５００が実装された状態で、図１を参照して上述した液晶プロジェクタ１１００に液晶ライトバルブ１００として用いられた場合、液晶装置５００の動作時において、光源から液晶装置５００に比較的強力な光が入射されると、液晶装置５００の温度が上昇する。液晶装置５００から生じる熱は、液晶装置５００がフレーム６１０に接触している個所から（或いは、液晶装置５００及びフレーム６１０間に介在する接着剤を介して）、フレーム６１０に伝導される。
【００７０】
図６において、本実施形態では特に、上述したように、放熱部材７００は、フレーム本体６１３と空間を隔てて配置された棒状の本体部７１０を有しているので、液晶装置５００からフレーム本体６１３に伝導された熱を、当該放熱部材７００を介して、フレーム本体６１３から実装ケース６０１外に確実に放出できる。言い換えれば、放熱部材７００を、図１を参照して上述したシロッコファン１３００からの冷却風ＷＤによって冷却することで、フレーム本体６１３を効果的に冷却することができ、液晶装置５００の温度上昇を効果的に抑制できる。従って、温度上昇に伴って生じる液晶装置５００の表示性能の低下を効果的に抑制できる。
【００７１】
尚、本実施形態では、放熱部材７００が、一つの棒状部材からなるように構成したが、放熱部材７００は、一つの板状部材からなるように構成してもよい。即ち、一つの板状部材を、例えば鎹状の断面形状を有するように折り曲げることで、放熱部材７００を形成してもよい。この場合にも、放熱部材７００によって、液晶装置５００の温度上昇を効果的に抑制できる。
【００７２】
尚、本実施形態では、放熱部材７００が、鎹状の断面形状を有するように構成したが、例えばアーチ状（或いはＵ字状）の断面形状を有するように構成してもよい。言い換えれば、本実施形態では、本体部７１０及び支持部７２０は、夫々、直線的な形状を有するように構成したが、本体部７１０及び支持部７２０は、夫々、曲線的な形状を有するように構成してもよい。この場合にも、放熱部材７００によって、液晶装置５００の温度上昇を効果的に抑制できる。
【００７３】
尚、本実施形態では、放熱部材７００を、フレーム本体６１３の表面６１３ａに設けられるよう構成したが、放熱部材７００は、フレーム本体６１３の側面６１３ｂに設けられるように構成してもよい。この場合にも、放熱部材７００によって、液晶装置５００の温度上昇を効果的に抑制できる。
【００７４】
更に、図６において、本実施形態では特に、放熱部材７００は、その本体部７１０が、フレーム本体６１３に対してシロッコファン１３００から供給される冷却風ＷＤが流れる方向に交わるように延在している。よって、放熱部材７００の本体部７１０を冷却風ＷＤによって効率的に冷却することができるので、放熱部材７００によってフレーム本体６１３を冷却する冷却効率をより一層高めることができる。従って、液晶装置５００の放熱性をより一層向上させることができる。
【００７５】
尚、放熱部材７００は、その本体部７１０が、フレーム本体６１３に対してシロッコファン１３００から供給される冷却風ＷＤが流れる方向に沿うように延在していてもよい。この場合にも、放熱部材７００の本体部７１０を冷却風ＷＤによって相応に冷却することができ、放熱部材７００によってフレーム本体６１３を冷却する冷却効率を相応に高めることができる。
【００７６】
加えて、図７において、本実施形態では特に、上述したように、放熱部材７００は、その支持部７２０が、フレーム本体６１３に設けられた凹部８１０と嵌合されることにより、フレーム本体６１３に取り付けられている。凹部８１０は、フレーム本体６１３の表面６１３ａにおける所定箇所が掘り込まれてなる。よって、放熱部材７００の支持部７２０がフレーム本体６１３に接触した状態で、放熱部材７００がフレーム６１０に取り付けられる。よって、例えば、支持部７２０とフレーム６１０とが例えば接着剤によって接着されることにより、支持部７２０がフレーム６１０に固定される場合と比較して、放熱部材７００及びフレーム６１０間の熱伝導率を高めることができ、液晶装置５００の放熱性をより一層向上させることができる。更に、例えば、支持部７２０とフレーム６１０とが例えば接着剤によって接着される場合と比較して、実装ケース６０１に収容された液晶装置５００がライトバルブとして設置される液晶プロジェクタ１１００の仕様に応じて、放熱部材７００をフレーム６１０から容易に取り外すことも可能となり、実践上大変便利である。
【００７７】
尚、本実施形態では、支持部７２０が嵌合される凹部８１０を、フレーム本体６１３の表面６１３ａに設けたが、凹部８１０は、フレーム本体６１３の側面６１３ｂに設けてもよい。
【００７８】
尚、放熱部材７００は、フレーム６１０に複数設けてもよい。この場合には、放熱部材７００の数に応じて、液晶装置５００の放熱性を向上させることができる。
【００７９】
以上説明したように、本実施形態に係る実装ケース６０１によれば、フレーム本体６１３と空間を隔てて配置された棒状の本体部７１０を有する放熱部材７００を備えるので、液晶装置５００から発生する熱を確実に実装ケース６０１の外に放出できる。即ち、本実施形態に係る実装ケース６０１によれば、液晶装置５００の放熱性を向上させることができる。
【００８０】
尚、本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【００８１】
本発明は、上述した実施形態に限られるものではなく、特許請求の範囲及び明細書全体から読み取れる発明の要旨或いは思想に反しない範囲で適宜変更可能であり、そのような変更を伴う電気光学装置用実装ケース、該実装ケースに当該電気光学装置が実装或いは収容されてなる実装ケース入り電気光学装置、及びこのような実装ケース入り電気光学装置を備えてなる電子機器もまた本発明の技術的範囲に含まれるものである。
【図面の簡単な説明】
【００８２】
【図１】第１実施形態に係る液晶プロジェクタの図式的断面図である。
【図２】第１実施形態に係る液晶装置の平面図
【図３】図２のＨ−Ｈ’断面図である。
【図４】第１実施形態に係る液晶装置の複数の画素の等価回路図である。
【図５】第１実施形態に係る実装ケースを液晶装置とともに示す分解斜視図である。
【図６】第１実施形態に係る実装ケースに設けられた放熱部材の構成を示す斜視図である。
【図７】放熱部材の支持部と、該支持部に嵌合される凹部とを示す斜視図である。
【符号の説明】
【００８３】
１０…ＴＦＴアレイ基板、１０ａ…画素領域、２０…対向基板、５０…液晶層、１０２…外部回路接続端子、５００…液晶装置、６０１…実装ケース、６１０…フレーム、６１３…フレーム本体、６１７…爪部、６２０…カバー部材、７００…放熱部材、７１０…本体部、７２０…支持部
【図１】
2009053588.tif 000003
【図２】
2009053588.tif 000004
【図３】
2009053588.tif 000005
【図４】
2009053588.tif 000006
【図５】
2009053588.tif 000007
【図６】
2009053588.tif 000008
【図７】
2009053588.tif 000009